(57)【要約】      （修正有）【課題】パターのカップインの確率を飛躍的に向上させるために、パターを目標に対して真直ぐに引いて真直ぐに出していく打ち方（ストローク）を行いやすいパター用のグリップを提供する。【解決手段】通常の一般的なグリップ形状とは逆に、グリップエンド側からパターヘッド側に向かって太くすることによって解決することが出来る。そうすることによって、目標（カップ）に対して真直ぐにパターと手を動かす（ストロークする）ことが容易に出来るようになる。また、パターヘッド側に近い方が太いために、安定した手とパターヘッドの動き（ストローク）をすることが出来るために、カップインする確率が飛躍的に向上できる。【選択図】図１
2008206943.tif 000002
【特許請求の範囲】
【請求項１】
ゴルフクラブのパター用のグリップに関して、グリップエンド側よりも、パターヘッド側の方が太い（グリップエンド側から、パターヘッド側に行くにしたがって太くなる）形状のゴルフパター用のグリップ。
【発明の詳細な説明】
【技術分野】
【０００１】本発明は、ゴルフパター用のグリップに関する。
【背景技術】
【０００２】ゴルフのパターに関して近年では、ボールを打つパターヘッド側の開発やシャフトの開発は、盛んに行われています。重量バランスの研究や、材質の研究などが盛んに行われています。また、極端なヘッドの大型化や、シャフトの長い長尺パターなど次々と新製品が市場に出てきます。そのすべての目的は、いかにパターでのカップインの確率を上げることにあります。しかし、パターのグリップ部分での改良はほとんど無く、材質の改良や色の変化がある程度でした。ゴルフのパターにおいて、カップインの確率を上げる為に、より的確にボールを打ち、より正確に転がすには、パターのグリップは重要な部分である。
【発明の開示】
【発明が解決しようとする課題】
【０００３】ゴルフ以外の他のスポーツでは、目標に体の正面を向けて、その目標に向けて利き腕を振っていく。すなわち、目標に真正面を向いて、その目標を正面に見ながら、ボールを利き腕でその目標に投げていく。例えば、ボーリングやソフトボールがそれに当てはまり、他にもカーリングもそれに近いと考えられる。なぜそうするかと言うと、それが確率良く目標にボールを投げられるからである。ゴルフのパターにおいては、目標に対して横向きに構えるのが一般的で、パター（ゴルフクラブ）もその横向きの構えに使いやすく出来ている。横向きに構えてボールを打つには、体を軸に腕とパターを円運動させることになる。本来カップインの確率を上げるためには目標とボールを結んだ線と、真直ぐに腕とパターを動かす（ストロークする）方が良いはずなのに、ゴルフではその動作が非常に難しい。そこで課題として、パターの時に目標に対して横向きに構えて居ても、手とパターを目標に真直ぐに動かせる（ストローク出来る）ようにパターグリップを開発することであった。【０００４】パターを握るときは、両手でグリップ部分を握るのが一般的である。そして、そのグリップ部分は通常グリップエンド側が一番太く、パターヘッド側にいくにしたがって細くなる形状になっている。しかし、それでは体を軸にした回転運動でボールを打つには、どうしてもその回転運動と同調して手もパターヘッドも円運動になりやすい。また、パターヘッド側に近い方が細いと指先側が安定せずに、パターのフェイス面が開いたり、かぶさったりしやすかった。今までにあるパター用のグリップは、すべてがグリップエンド側からパターヘッド側に向かって細くなるグリップしか無かった。
【課題を解決するための手段】
【０００５】課題を解決するための手段として、この発明では、パターグリップのグリップエンド側からパターヘッド側に向けて太くなっていく形状にした。すなわちパターグリップのグリップエンド側が一番細く、パターヘッドに近い方を一番太くした。【０００６】この発明のヒントとしては、野球のバントにあった。野球のバントの時には、手をリストターンしてボールを遠くに飛ばすフルスイング（ヒッティング）とは異なり、リストターンはせずに、バットの向きを変えずにボールを自分の狙った方向に転がしていく、この動作にヒントがありました。また、重要なヒントとして、バントを確率良く行うために、グリップエンド側の細い部分を利き手と逆の手で握り、ボールが当たるヘッド側（先の方）の太い部分を利き手で握っている。利き手がヘッド側の太いところを握ることによってリストターンさせずに、確率良くバントが出来ることが大きなヒントになった。
【発明の効果】
【０００７】このグリップエンド側からパターヘッド側に向かって太くなるパターグリップの発明により、目標（カップ）とボールを結んだ線に対して、真直ぐにパターと手を動かす（ストロークする）ことが出来るようになった。その結果として、ボールに対して素直な回転を与えることになり、パターでのカップインの確率が良くなる。【０００８】パターをする時に体は目標に対して横を向いた構えであるために、基本的には体を軸にした円運動であっても、この発明のグリップでは、その円運動とは切り離して、パターと手は目標に対していつも真直ぐに動かせるために、パターのフェイス面を終始変えずに、安定した動き（ストローク）が出来る。そのことによって、パターでのカップインの確率が向上することが出来る。【０００９】この発明のグリップでは、利き腕で握っている部分のほうが太く、パターヘッドに近い方が太いために、パターの動作に入るときのきっかけがとりやすく、ボールより後に引くテークバックの時に、よりスムーズな動きが行いやすくなったために、パターのブレが少なくなり、安定した動き（ストローク）が出来るために、カップインの確率が良くなった。【００１０】グリップエンド側からパターヘッド側に向かって太くなる形状のために、通常の形に比べて全体の重量バランスが低重心となり、パターの動きの際に安定感が増すために、カップインの確率が良くなる。【００１１】グリップエンド側からパターヘッド側に向かって太くなる形状のために、パターのフェイス面（ボールを打つ面）の向きが、パターでボールを打つ際に終始手のひらに感じることが出来る。そのことによって、終始フェイス面をカップのほうに直線的に向けたままパターすることが出来るためにカップインの確率が良くなる。【００１２】また、利き腕でパターヘッドに近い方のグリップの太い方を握れるために、微妙な距離感や、方向性や、タッチを出すことが出来る。
【発明を実施するための最良の形態】
【００１３】パターのグリップにおいて、グリップエンド側からパターヘッド側に向かって太くなるように金型などをもちいて、ゴムやプラスチック樹脂、またはビニール樹脂や革など、その他の材料にてグリップを制作する。そして、そのグリップをパターのシャフトに両面テープやシンナーなどを使用して装着する。
【産業上の利用可能性】
【００１４】  ゴルフをする場合には、必ず一人に一本はパターが必要で、ゴルフをする人なら必ず持っている。また、ゴルフをする人にとってパターのカップインの確率を良くすることは、スコアアップにつながるために、ほとんどの人の願望である。よって、ゴルフをする人すべてが対象となる為に、産業上の利用可能性はあります。
【図面の簡単な説明】
【００１５】
【図１】  本発明の斜視外観図
【図２】  横から見た本発明のパター本体への装着図
【符号の説明】
【００１６】  １  パターに装着したグリップのグリップエンド側
２  パターに装着したグリップのパターヘッド側
３  シャフト
４  パターヘッド
５  パターフェイス面
【図１】
2008206943.tif 000003
【図２】
2008206943.tif 000004